(57)【要約】      （修正有）【課題】細いヒールのハイヒールとすることもできるデザインの自由度が得られると共に、自由に好みの装飾を付加することができる履き物を提供する。【解決手段】内部が収納室となった中空のつま先部６と、つま先部６の後方に間隔を開けて設けられたかかと部７と、つま先部６とかかと部７の上部間を接続する連結部８とを有するアウトソール本体１を用いた履き物とし、アウトソール本体１を透明な合成樹脂で形成し、つま先部６のかかと部７側の側壁部に、収納室を開閉可能とする蓋部１１を設けて、収納室に好みの装飾部材を収納できるようにする。【選択図】図１
0003162067.tif 000002
【実用新案登録請求の範囲】
【請求項１】
底面部の周囲に立ち上げられた側壁部で囲まれた内部が収納室となった中空のつま先部と、該つま先部の後方に間隔を開けて設けられたかかと部と、前記つま先部と該かかと部の上部間を接続する連結部とを有するアウトソール本体を備え、少なくとも前記つま先部の側壁部が透明な合成樹脂で形成されていると共に、前記つま先部の前記かかと部側の側壁部に、前記収納室を開閉可能とする蓋部を備えていることを特徴とする履き物。
【請求項２】
前記アウトソール本体が、前記かかと部も中空で、しかも前記つま先部とかかと部の中空部の上部が開放された構造をなし、両中空部を開放する開口部が、当該開口部に嵌め込まれた閉鎖板又は当該開口部上を覆うミッドソールで塞がれていることを特徴とする請求項１に記載の履き物。
【請求項３】
前記アウトソール本体全体が透明な合成樹脂で射出形成されていることを特徴とする請求項２に記載の履き物。
【請求項４】
前記アウトソール本体の前記つま先部とかかと部の各底面にゴムシートが接着されていることを特徴とする請求項３に記載の履き物。
【請求項５】
前記中空のかかと部内が第二の収納室を構成しており、しかも前記かかと部の前記つま先部側の側壁部に、前記第二の収納室を開閉可能とする第二の蓋部を備えていることを特徴とする請求項２乃至４のいずれか一項に記載の履き物。
【請求項６】
前記収納室に装飾部材が出し入れ可能に収納されていることを特徴とする請求項１乃至５のいずれか一項に記載の履き物。
【考案の詳細な説明】
【技術分野】
【０００１】
本考案は、装飾性に富んだ履き物に関する。
【背景技術】
【０００２】
従来、かかと側を高く支持するかかと部材を、上部が開口した中空とすると共に少なくともその側壁の一部を透明とし、内部に例えばビーズ等の装飾部材を自由に移動可能に収納した後、上部の開口を中底を接着することで塞いだ履き物が知られている（例えば、特許文献１参照）。この履き物の場合、歩くたびに装飾部材が動いて変化を楽しむことができる。
【先行技術文献】
【特許文献】
【０００３】
【特許文献１】特開２００７−１８５３５３号公報
【考案の概要】
【考案が解決しようとする課題】
【０００４】
しかしながら、上記従来の履き物の場合、装飾部材を封入する箇所がかかと側であるので、細いヒールのハイヒールとすると、装飾部材を封入する十分な中空部を形成できなくなる。装飾性の履き物は、基本的に女性用として用いられる。特に女性ものの履き物の場合、ヒールのデザインによって全体のデザインが大きく影響されることから、上記従来の履き物の場合、デザインの対する制約が大きい問題がある。また、装飾部材が、中底の接着により塞がれた空間内に封入されてしまっているので、好みに応じて入れ換えることができない問題もある。
【０００５】
本考案は、上記従来の問題点に鑑みてなされたもので、細いヒールのハイヒールとすることもできるデザインの自由度が得られると共に、自由に好みの装飾を付加することができる履き物とすることを目的とする。
【課題を解決するための手段】
【０００６】
上記目的のために、本考案は、底面部の周囲に立ち上げられた側壁部で囲まれた内部が収納室となった中空のつま先部と、該つま先部の後方に間隔を開けて設けられたかかと部と、前記つま先部と該かかと部の上部間を接続する連結部とを有するアウトソール本体を備え、少なくとも前記つま先部の側壁部が透明な合成樹脂で形成されていると共に、前記つま先部の前記かかと部側の側壁部に、前記収納室を開閉可能とする蓋部を備えていることを特徴とする履き物を提供するものである。
【０００７】
上記本考案は、前記アウトソール本体が、前記かかと部も中空で、しかも前記つま先部とかかと部の中空部の上部が開放された構造をなし、両中空部を開放する開口部が、当該開口部に嵌め込まれた閉鎖板又は当該開口部上を覆うミッドソールで塞がれていることを好ましい態様として含む。
【０００８】
また、本考案は、上記好ましい態様において、前記アウトソール本体全体が透明な合成樹脂で射出形成されていること、前記アウトソール本体の前記つま先部とかかと部の各底面にゴムシートが接着されていること、前記中空のかかと部内が第二の収納室を構成しており、しかも前記かかと部の前記つま先部側の側壁部に、前記第二の収納室を開閉可能とする第二の蓋部を備えていることを更なる好ましい態様として含む。
【０００９】
更に、前記本考案は、前記収納室に装飾部材が出し入れ可能に収納されていることも、好ましい態様として含むものである。
【考案の効果】
【００１０】
本考案においては、側壁部を有するつま先部としていることにより、いわゆる厚底靴様の履き物となっている。そして、このつま先部の少なくとも側壁部を透明としているので、その内部に設けた収納室に出し入れ可能に装飾部材を収納し、適宜交換することで、履き物に好みの装飾を施すことができる。
【００１１】
本考案においては、上記装飾部材を収納する収納室がつま先部に形成されているので、全体のデザインに対する影響が大きいヒールのデザインを自由に選択することができる。従って、全体のデザインに対する自由度が向上する。
【００１２】
本考案における収納室は、蓋部により開閉可能であることから、収納室に収納した装飾部材を交換することができ、好みの装飾部材による装飾を付加することができる。また、蓋部は、つま先部のかかと部側の側壁部に設けられているので、外見上目立つことがなく、これを設けることによる外観の低下を防止することができる。
【００１３】
アウトソール本体のつま先部とかかと部を共に中空とし、その上部を開放した構造としておくと、アウトソール本体を容易に透明な合成樹脂で射出成形することができ、アウトソール本体の製造が容易となる。つま先部とかかと部の中空部を開放する開口部を閉鎖部材又はミッドソールで塞いでおけば、履き心地の低下を防止することができる。特にアウトソール本体全体を透明な合成樹脂で構成すると、いわゆるガラスの靴用の履き物となり、結婚式での花嫁の履き物として好適となる。結婚式で収納室に花等を収納して使用した後は、収納室に記念品等を収納した飾りの靴として、結婚式の想い出と共に室内に飾ることができる。
【００１４】
アウトソール本体全体を透明な合成樹脂で構成した場合、つま先部とかかと部の各底面にゴムシートを接着しておけば、実用可能な（歩行使用可能な）アウトソールを構成することができる。また、かかと部をも中空とし、内部を第二の収納室とすれば、装飾スペースを増やすことができる。
【図面の簡単な説明】
【００１５】
【図１】本考案に係る履き物の一例を示す斜視図である。
【図２】図１に示される履き物におけるアウトソールの斜視図である。
【図３】図２に示されるアウトソールの断面図で、（ａ）は閉鎖板を外した状態、（ｂ）は閉鎖板を取り付けた状態を示す。
【図４】図３における蓋部付近の拡大図で、（ａ）は閉鎖時、（ｂ）は開放途中の状態を示す。
【考案を実施するための形態】
【００１６】
図１〜図４に基づいて本考案の一例を説明する。
【００１７】
図１に示される本考案に係る履き物の例は、サンダル（ミュール）となっている。このサンダルは、アウトソール本体１と、足裏を受けるインソール２と、足の甲を引っかける甲被バンド３と、足首に巻き付けられる足首ベルト４とを備えている。インソール２はアウトソール本体１の上面に接着されており、甲被バンド３はアウトソール本体１のつま先寄りに、足首ベルト４はアウトソール本体１のかかと寄りに、それぞれインソール２と共にアウトソール本体１の上面に接着されている。
【００１８】
図１〜図３に示されるように、アウトソール本体１は、底面部の周囲に立ち上げられた側壁部で囲まれた内部が収納室５（図３参照）となった中空のつま先部６と、このつま先部６の後方に間隔を開けて設けられたかかと部７とを備えている。また、このつま先部６とかかと部７は、上部同士間が中実の連結部８で接続されている。
【００１９】
本例におけるアウトソール本体１は、つま先部６だけでなく、かかと部７も中空となっており、特に図３（ａ）に明示されるように、この両中空部の上部は開放されている。そして、両中空部を開放している各開口部９ａ，９ｂは、図３（ｂ）に明示されるように、各開口部９ａ，９ｂに嵌め込まれて接着された閉鎖板１０ａ，１０ｂによって塞がれた構造となっている。また、つま先部６のかかと部７側の側壁部には、収納室５を開閉可能とする蓋部１１が設けられている。
【００２０】
なお、本例のように閉鎖板１０ａ，１０ｂを接着した例におけるアウトソール本体１とは、閉鎖板１０ａ，１０ｂ及び蓋部１１を除く、上部が開放された中空のつま先部６、同様のかかと部７及び連結部８で構成された部材をいう。
【００２１】
本例におけるアウトソール本体１は、全体が透明な合成樹脂で構成された射出成形品となっている。この透明な合成樹脂としては、人の体重を支える機械的強度と透明性に優れることから、例えばポリカーボネイト、ポリメチルメタクリレート等を好ましく用いることができる。本考案に係る履き物は、少なくともつま先部６の側壁部が透明な合成樹脂で形成されていれば、他の箇所は不透明な材料で構成することもできる。しかし、全体を透明な合成樹脂で射出形成すると、いわゆるガラスの靴様の外観が得られると共に製造が容易となるので好ましい。なお、アウトソール本体１全体を透明な合成樹脂で構成する場合、アウトソール本体１の透明感を損なわないよう、閉鎖板１０ａ，１０ｂ及び蓋部１１も同じ透明な合成樹脂で構成することが好ましい。
【００２２】
本例におけるアウトソール本体１のつま先部６とかかと部７の各底面にはそれぞれゴムシート１２が接着されており、アウトソール本体１とゴムシート１２がアウトソールを構成している。このゴムシート１２を接着することで、アウトソール本体１全体を滑りやすく傷付きやすい透明な合成樹脂で形成した場合等においても、実用性のあるアウトソールを構成することができる。ゴムシート１２としては、靴底材として用いられる合成ゴムのシートを用いることができる。
【００２３】
つま先部６のかかと部７側の側壁部には、収納室５を開閉可能とする蓋部１１が設けられている。この蓋部１１は、図３及び図４に明示されるように、上部中央部が内側に屈曲された後、上方に湾曲を持って折り返された横Ｕ字形屈曲部１３と、この横Ｕ字形屈曲部１３の上片に連なる摘み部１４を有している。また、横Ｕ字形屈曲部１３の上片には、つま先部６の側壁部内面と係合する突起部１５が形成されている。
【００２４】
図４（ａ）の閉鎖時において、蓋部１１の上部は、摘み部１４がつま先部６の側壁部外面に当接し、突起部１５が側壁部内面当接することで脱落が防止されている。また、蓋部１１の下部は、蓋部１１の下部に下方へ突設された爪部１６がつま先部６の側壁部内面に当接し、つま先部６の底面部に立設された当て板部１７が蓋部１１の下部内面に当接することで脱落が防止されている。蓋部１１の開放は、図４（ａ）に矢印で示すように、摘み部１４の上端面に爪を引っかけて下方へ押し、横Ｕ字形屈曲部１３を弾性的に下方へ屈曲させて、つま先部６の側壁部内面への突起部１５の当接を外し、図４（ｂ）に示されるように、蓋部１１を外方へ引き倒すことで行うことができる。
【００２５】
蓋部１１を上記のようにして開放し、収納室５内に装飾部材（図示されていない）を収納して蓋部１１を閉じておけば、装飾部材の飛び出しを防止しつつ、装飾部材による装飾を楽しむことができる。装飾部材としては、例えば生花、造花、人形、布（例えばスカーフ、ハンカチ等）、ビーズ等、好みに応じて選択することができる。収納室５内には、必要に応じて、装飾部材を固定するための取付台を設けることもできる。
【００２６】
本例におけるかかと部７は、単なる中空の構成部材となっているが、アウトソール本体１全体が透明な合成樹脂で形成されている場合、このかかと部７の中空部を第二の収納室とし、更にかかと部７のつま先部６側の側壁部に、上記蓋部１１と同様の第二の蓋部（図示されていない）を設けることもできる。このようにすると、装飾スペースを増やすことができる。
【００２７】
本例において、つま先部６及びかかと部７の中空部を開放する開口部９ａ，９ｂ（図３（ａ）参照）は閉鎖板１０ａ，１０ｂによって塞がれているが、この閉鎖板１０ａ，１０ｂを用いずに、アウトソール本体１の上面に、開口部９ａ，９ｂ上を覆ってミッドソール（図示されていない）を接着し、これによって塞ぐこともできる。
【００２８】
一例として説明した履き物はサンダルであるが、本考案に係る履き物はサンダルに限られるものではなく、靴、ブーツ、ローファー等とすることもできる。
【符号の説明】
【００２９】
１  アウトソール本体
２  インソール
３  甲被バンド
４  足首ベルト
５  収納室
６  つま先部
７  かかと部
８  連結部
９ａ，９ｂ  開口部
１０ａ，１０ｂ  閉鎖版
１１  蓋部
１２  ゴムシート
１３  横Ｕ字形屈曲部
１４  摘み部
１５  突起部
１６  爪部
１７  当て板部
【図１】
0003162067.tif 000003
【図２】
0003162067.tif 000004
【図３】
0003162067.tif 000005
【図４】
0003162067.tif 000006